(57)【特許請求の範囲】
【請求項１】
空間制限を含む使用制限が関連付けられている付随情報を取得する取得部と、
前記付随情報が取得されてから、前記使用制限に係る限界値を超えた状態となるまでの間、当該付随情報をコンテンツに関連付け、前記空間制限に係る地図上における範囲および前記地図上における情報処理装置の位置を表示部に表示させる制御を行う制御部と
を具備する情報処理装置。
【請求項２】
空間制限を含む使用制限が関連付けられている付随情報を取得する取得部と、
前記付随情報が取得されてから、前記使用制限に係る限界値を超えた状態となるまでの間、当該付随情報をコンテンツに関連付け、情報処理装置の位置から前記空間制限に係る地図上における範囲の境界までの距離と、前記情報処理装置の移動速度とに基づいて得られた前記境界までの所要時間を表示部に表示させる制御を行う制御部と
を具備する情報処理装置。
【請求項３】
回数制限を含む使用制限が関連付けられている付随情報を取得する取得部と、
前記付随情報が取得されてから、前記使用制限に係る限界値を超えた状態となるまでの間、当該付随情報をコンテンツに関連付け、前記回数制限に係る残りの値を表示部に表示させる制御を行う制御部と
を具備する情報処理装置。
【請求項４】
前記制御部は、前記使用制限に係る限界値を超えた状態となった場合には、前記付随情報をコンテンツに関連付けない請求項１乃至３の何れかに記載の情報処理装置。
【請求項５】
前記制御部は、前記使用制限に関する情報を前記表示部に表示させる制御を行う請求項１乃至４の何れかに記載の情報処理装置。
【請求項６】
前記使用制限は、時間制限を含み、
前記制御部は、前記時間制限に係る残り時間を前記表示部に表示させる
請求項１乃至５の何れかに記載の情報処理装置。
【請求項７】
前記制御部は、前記情報処理装置の位置から前記使用制限に含まれる空間制限に係る地図上における範囲の境界までの距離を前記表示部に表示させる請求項１乃至６の何れかに記載の情報処理装置。
【請求項８】
前記コンテンツは、画像データであり、
前記画像データが静止画データの場合には、前記回数制限は、取得回数であり、
前記画像データが動画データの場合には、前記回数制限は、動画データの長さである
請求項３記載の情報処理装置。
【請求項９】
前記制御部は、前記使用制限に係る限界値を超えていなく、当該使用制限に係る通知閾値を越えた場合には、前記使用制限に係る限界値を超えた状態に近い旨を前記表示部に表示させる制御を行う請求項１乃至８の何れかに記載の情報処理装置。
【請求項１０】
前記制御部は、前記取得部により複数の前記付随情報が取得された場合には、当該取得された複数の付随情報に関する表示情報を前記表示部に表示させ、当該表示されている複数の付随情報のうちからユーザ操作に基づいて選択された付随情報を前記コンテンツに関連付ける請求項１乃至９の何れかに記載の情報処理装置。
【請求項１１】
前記コンテンツを生成するコンテンツ生成部をさらに具備し、
前記取得部は、前記コンテンツの生成場所に関する情報を含む前記付随情報を取得する
請求項１乃至１０の何れかに記載の情報処理装置。
【請求項１２】
前記取得部は、前記コンテンツの生成場所に関する情報として、当該生成場所において行われるイベントに関する時間情報と当該イベントに関する位置情報と当該イベントに関する文字情報とのうちの少なくとも１つを含む前記付随情報を取得する請求項１１記載の情報処理装置。
【請求項１３】
前記取得部は、撮像部により取得された多次元コード情報に基づいて前記付随情報を生成する請求項１乃至１２の何れかに記載の情報処理装置。
【請求項１４】
前記取得部は、無線通信を利用して前記付随情報を取得する請求項１乃至１２の何れかに記載の情報処理装置。
【請求項１５】
前記制御部は、前記付随情報が関連付けられたコンテンツを所定のネットワークを介して他の情報処理装置に送信する制御を行う請求項１乃至１４の何れかに記載の情報処理装置。
【請求項１６】
空間制限を含む使用制限が関連付けられている付随情報を取得する取得手順と、
前記付随情報が取得されてから、前記使用制限に係る限界値を超えた状態となるまでの間、当該付随情報をコンテンツに関連付け、前記空間制限に係る地図上における範囲および前記地図上における情報処理装置の位置を表示部に表示させる制御手順と
を具備する情報処理方法。
【請求項１７】
空間制限を含む使用制限が関連付けられている付随情報を取得する取得手順と、
前記付随情報が取得されてから、前記使用制限に係る限界値を超えた状態となるまでの間、当該付随情報をコンテンツに関連付け、情報処理装置の位置から前記空間制限に係る地図上における範囲の境界までの距離と、前記情報処理装置の移動速度とに基づいて得られた前記境界までの所要時間を表示部に表示させる制御手順と
を具備する情報処理方法。
【請求項１８】
回数制限を含む使用制限が関連付けられている付随情報を取得する取得手順と、
前記付随情報が取得されてから、前記使用制限に係る限界値を超えた状態となるまでの間、当該付随情報をコンテンツに関連付け、前記回数制限に係る残りの値を表示部に表示させる制御手順と
を具備する情報処理方法。
【請求項１９】
空間制限を含む使用制限が関連付けられている付随情報を取得する取得手順と、
前記付随情報が取得されてから、前記使用制限に係る限界値を超えた状態となるまでの間、当該付随情報をコンテンツに関連付け、前記空間制限に係る地図上における範囲および前記地図上における情報処理装置の位置を表示部に表示させる制御手順と
をコンピュータに実行させるプログラム。
【発明の詳細な説明】
【技術分野】
【０００１】
本技術は、情報処理装置に関する。詳しくは、コンテンツを扱う情報処理装置および情報処理方法ならびに当該方法をコンピュータに実行させるプログラムに関する。
【背景技術】
【０００２】
近年、人物や植物等の被写体を撮像して画像データを生成し、この生成された画像データを画像コンテンツ（画像ファイル）として記録するデジタルスチルカメラ、デジタルビデオカメラ（例えば、カメラ一体型レコーダ）等の情報処理装置が普及している。また、例えば、画像コンテンツを検索する場合等に用いる付随情報を、撮像動作により生成された画像コンテンツに関連付けて記録させることが可能な情報処理装置が提案されている。
【０００３】
例えば、被写体とこの被写体に関連するデータとの真正を一致させた状態で画像記録を行う画像データ記録装置が提案されている（例えば、特許文献１参照。）。
【先行技術文献】
【特許文献】
【０００４】
【特許文献１】特開２００７−２４９５１６号公報
【発明の概要】
【発明が解決しようとする課題】
【０００５】
上述の従来技術では、記録対象製品および作業記録作業者に、各々固有のタグデータを記録したＲＦＩＤタグを付帯させる。そして、ＲＦＩＤタグに記録されたタグデータの読取時と、記録対象製品の画像データ取得時との時間差を、予め設定された規定時間と比較することにより、作業対象の画像データに対するタグデータの真正性を判定する。
【０００６】
しかし、上述の従来技術では、時間差と規定時間を比較する必要がある。また、予め規定時間を設定しないと真正性の判定ができないため、例えば、作業現場毎に変更させるような場合には、規定時間の設定が煩雑となるおそれがある。
【０００７】
本技術はこのような状況に鑑みて生み出されたものであり、適切な付随情報をコンテンツに関連付けることを目的とする。
【課題を解決するための手段】
【０００８】
本技術は、上述の問題点を解消するためになされたものであり、その第１の側面は、空間制限を含む使用制限が関連付けられている付随情報を取得する取得部と、上記付随情報が取得されてから、上記使用制限に係る限界値を超えた状態となるまでの間、当該付随情報をコンテンツに関連付け、上記空間制限に係る地図上における範囲および上記地図上における情報処理装置の位置を表示部に表示させる制御を行う制御部とを具備する情報処理装置およびその情報処理方法ならびに当該方法をコンピュータに実行させるプログラムである。これにより、付随情報が取得されてから、使用制限に係る限界値を超えた状態となるまでの間、その付随情報をコンテンツに関連付け、空間制限に係る地図上における範囲および地図上における情報処理装置の位置を表示させるという作用をもたらす。
また、本技術の第２の側面は、空間制限を含む使用制限が関連付けられている付随情報を取得する取得部と、上記付随情報が取得されてから、上記使用制限に係る限界値を超えた状態となるまでの間、当該付随情報をコンテンツに関連付け、情報処理装置の位置から上記空間制限に係る地図上における範囲の境界までの距離と、上記情報処理装置の移動速度とに基づいて得られた上記境界までの所要時間を表示部に表示させる制御を行う制御部とを具備する情報処理装置およびその情報処理方法ならびに当該方法をコンピュータに実行させるプログラムである。これにより、付随情報が取得されてから、使用制限に係る限界値を超えた状態となるまでの間、その付随情報をコンテンツに関連付け、情報処理装置の位置から空間制限に係る地図上における範囲の境界までの距離と、情報処理装置の移動速度とに基づいて得られた境界までの所要時間を表示させるという作用をもたらす。
また、本技術の第３の側面は、回数制限を含む使用制限が関連付けられている付随情報を取得する取得部と、上記付随情報が取得されてから、上記使用制限に係る限界値を超えた状態となるまでの間、当該付随情報をコンテンツに関連付け、上記回数制限に係る残りの値を表示部に表示させる制御を行う制御部とを具備する情報処理装置およびその情報処理方法ならびに当該方法をコンピュータに実行させるプログラムである。これにより、付随情報が取得されてから、使用制限に係る限界値を超えた状態となるまでの間、その付随情報をコンテンツに関連付け、回数制限に係る残りの値を表示させるという作用をもたらす。
【０００９】
また、この第１乃至第３の側面において、上記制御部は、上記使用制限に係る限界値を超えた状態となった場合には、上記付随情報をコンテンツに関連付けないようにしてもよい。これにより、使用制限に係る限界値を超えた状態となった場合には、付随情報をコンテンツに関連付けないという作用をもたらす。
【００１０】
また、この第１乃至第３の側面において、上記制御部は、上記使用制限に関する情報を上記表示部に表示させる制御を行うようにしてもよい。これにより、使用制限に関する情報を表示させるという作用をもたらす。
【００１１】
また、この第１乃至第３の側面において、上記使用制限は、時間制限を含み、上記制御部は、上記時間制限に係る残り時間を上記表示部に表示させるようにしてもよい。これにより、使用制限が時間制限を含む場合には、その時間制限に係る残り時間を表示させるという作用をもたらす。
【００１３】
また、この第１乃至第３の側面において、上記制御部は、上記情報処理装置の位置から上記使用制限に含まれる空間制限に係る地図上における範囲の境界までの距離を上記表示部に表示させるようにしてもよい。これにより、使用制限が空間制限を含む場合には、情報処理装置の位置から、空間制限に係る地図上における範囲の境界までの距離を表示させるという作用をもたらす。
【００１６】
また、この第３の側面において、上記コンテンツを画像データとし、上記画像データが静止画データの場合には、上記回数制限を取得回数とし、上記画像データが動画データの場合には、上記回数制限を動画データの長さとするようにしてもよい。これにより、画像データが静止画データの場合には、取得回数に係る残りの値を表示させ、画像データが動画データの場合には、動画データの長さに係る残りの値を表示させるという作用をもたらす。
【００１７】
また、この第１乃至第３の側面において、上記制御部は、上記使用制限に係る限界値を超えていなく、当該使用制限に係る通知閾値を越えた場合には、上記使用制限に係る限界値を超えた状態に近い旨を上記表示部に表示させる制御を行うようにしてもよい。これにより、使用制限に係る限界値を超えていなく、その使用制限に係る通知閾値を越えた場合には、使用制限に係る限界値を超えた状態に近い旨を表示させるという作用をもたらす。
【００１８】
また、この第１乃至第３の側面において、上記制御部は、上記取得部により複数の上記付随情報が取得された場合には、当該取得された複数の付随情報に関する表示情報を上記表示部に表示させ、当該表示されている複数の付随情報のうちからユーザ操作に基づいて選択された付随情報を上記コンテンツに関連付けるようにしてもよい。これにより、複数の付随情報が取得された場合には、その取得された複数の付随情報に関する表示情報を表示させ、その表示されている複数の付随情報のうちからユーザ操作に基づいて選択された付随情報をコンテンツに関連付けるという作用をもたらす。
【００１９】
また、この第１乃至第３の側面において、上記コンテンツを生成するコンテンツ生成部をさらに具備し、上記取得部は、上記コンテンツの生成場所に関する情報を含む上記付随情報を取得するようにしてもよい。これにより、コンテンツの生成場所に関する情報を含む付随情報を取得するという作用をもたらす。
【００２０】
また、この第１乃至第３の側面において、上記取得部は、上記コンテンツの生成場所に関する情報として、当該生成場所において行われるイベントに関する時間情報と当該イベントに関する位置情報と当該イベントに関する文字情報とのうちの少なくとも１つを含む上記付随情報を取得するようにしてもよい。これにより、コンテンツの生成場所において行われるイベントに関する時間情報と、そのイベントに関する位置情報と、そのイベントに関する文字情報とのうちの少なくとも１つを含む付随情報を取得するという作用をもたらす。
【００２１】
また、この第１乃至第３の側面において、上記取得部は、撮像部により取得された多次元コード情報に基づいて上記付随情報を生成するようにしてもよい。これにより、撮像部により取得された多次元コード情報に基づいて付随情報を生成するという作用をもたらす。
【００２２】
また、この第１乃至第３の側面において、上記取得部は、無線通信を利用して上記付随情報を取得するようにしてもよい。これにより、無線通信を利用して付随情報を取得するという作用をもたらす。
【００２３】
また、この第１乃至第３の側面において、上記制御部は、上記付随情報が関連付けられたコンテンツを所定のネットワークを介して他の情報処理装置に送信する制御を行うようにしてもよい。これにより、付随情報が関連付けられたコンテンツを所定のネットワークを介して他の情報処理装置に送信するという作用をもたらす。
【発明の効果】
【００２４】
本技術によれば、適切な付随情報をコンテンツに関連付けることができるという優れた効果を奏し得る。
【図面の簡単な説明】
【００２５】
【図１】本技術の第１の実施の形態における情報処理装置１００の外観構成例を示す斜視図である。
【図２】本技術の第１の実施の形態における情報処理装置１００の内部構成例を示すブロック図である。
【図３】本技術の第１の実施の形態における情報処理装置１００の機能構成例を示すブロック図である。
【図４】本技術の第１の実施の形態における記録部１４０に記録される画像ファイルのファイル構造の一例を示す図である。
【図５】本技術の第１の実施の形態における情報処理装置１００により付随情報を取得する際における取得処理例を示すシーケンスチャートである。
【図６】本技術の第１の実施の形態における情報処理装置１００により画像を記録する際における記録処理例を示すシーケンスチャートである。
【図７】本技術の第１の実施の形態における情報処理装置１００により画像をアップロードする際におけるアップロード処理例を示すシーケンスチャートである。
【図８】本技術の第１の実施の形態における情報処理装置１００により画像を再生する際における再生処理例を示すシーケンスチャートである。
【図９】本技術の第１の実施の形態における情報処理装置１００により画像をアップロードする際におけるアップロード処理例を示すシーケンスチャートである。
【図１０】本技術の第１の実施の形態における情報処理装置１００による付随情報生成処理の処理手順の一例を示すフローチャートである。
【図１１】本技術の第２の実施の形態における情報処理装置１００に保持されている付随情報の使用制限例を示す図である。
【図１２】本技術の第２の実施の形態における表示部１６０に表示される付随情報表示画面の一例（付随情報表示画面６３０）を示す図である。
【図１３】本技術の第２の実施の形態における情報処理装置１００を用いた撮像動作時に表示される表示画面例を示す図である。
【図１４】本技術の第２の実施の形態における情報処理装置１００を用いた撮像動作時に表示される表示画面例を示す図である。
【図１５】本技術の第２の実施の形態における情報処理装置１００を用いた撮像動作時に表示される表示画面例を示す図である。
【図１６】本技術の第２の実施の形態における情報処理装置１００を用いた撮像動作時に表示される表示画面例を示す図である。
【図１７】本技術の第２の実施の形態における情報処理装置１００を用いた撮像動作時に表示される表示画面例を示す図である。
【図１８】本技術の第２の実施の形態における情報処理装置１００を用いた撮像動作時に表示される表示画面例を示す図である。
【図１９】本技術の第２の実施の形態における情報処理装置１００を用いた撮像動作時に表示される表示画面例を示す図である。
【図２０】本技術の第２の実施の形態における情報処理装置１００による付随情報設定処理の処理手順の一例を示すフローチャートである。
【図２１】本技術の第２の実施の形態における情報処理装置１００による付随情報設定処理の処理手順の一例を示すフローチャートである。
【発明を実施するための形態】
【００２６】
以下、本技術を実施するための形態（以下、実施の形態と称する）について説明する。説明は以下の順序により行う。
１．第１の実施の形態（付随情報関連付け制御：ＱＲコード（登録商標）を用いて取得された付随情報をコンテンツに関連付ける例）
２．第２の実施の形態（付随情報関連付け制御：無線通信を利用して取得された付随情報をコンテンツに関連付ける例）
【００２７】
＜１．第１の実施の形態＞
［撮像システムの外観構成例］
図１は、本技術の第１の実施の形態における情報処理装置１００の外観構成例を示す斜視図である。
【００２８】
情報処理装置１００は、光学系１１１と、記録部１４０と、電源キー１５１と、再生キー１５２と、シャッターキー１５３と、表示部１６０とを備える。情報処理装置１００は、例えば、被写体を撮像して画像データ（画像）を生成し、この生成された画像データを画像コンテンツ（静止画コンテンツまたは動画コンテンツ）として記録するデジタルスチルカメラ等の撮像装置により実現される。
【００２９】
光学系１１１は、被写体からの入射光を取り込むための光学系であり、複数のレンズにより構成される。
【００３０】
電源キー１５１は、情報処理装置１００の電源のＯＮ／ＯＦＦを切り替えるための操作部材である。
【００３１】
再生キー１５２は、再生モードを設定するための操作部材である。例えば、撮像モードが設定されている場合に、再生キー１５２を操作することにより、再生モード（記録部１４０に記録されている画像を表示させるためのモード）が設定される。
【００３２】
シャッターキー１５３は、シャッター操作を行うための操作部材であり、ユーザにより全押し操作または半押し操作が行われる。例えば、シャッターキー１５３が半押しされた場合には、撮像モードに応じた処理（例えば、オートフォーカス処理）が行われる。また、シャッターキー１５３が全押しされた場合には、この全押しの際に撮像されていた画像データが記録部１４０に記録される。
【００３３】
［情報処理装置の内部構成例］
図２は、本技術の第１の実施の形態における情報処理装置１００の内部構成例を示すブロック図である。
【００３４】
情報処理装置１００は、光学系１１１と、撮像素子１１２と、Ａ／Ｄ（Analog/Digital）変換部１１３と、デジタル信号処理部１２０と、エンコード／デコード部１３０と、記録部１４０とを備える。また、情報処理装置１００は、操作部１５０と、表示部１６０と、制御部１７０と、ＲＯＭ（Read Only Memory）１７１と、ＲＡＭ（Random Access Memory）１７２とを備える。また、情報処理装置１００は、位置情報取得部１８１と、時間情報取得部１８２と、ネットワークＩ／Ｆ（インターフェース）１９０とを備える。
【００３５】
光学系１１１は、被写体からの入射光を取り込み、その入射光を撮像素子１１２に供給するものである。また、制御部１７０の制御に基づいて、光学系１１１が被写体に対して前後に移動することにより、フォーカシングまたはズーミングが行われる。
【００３６】
撮像素子１１２は、制御部１７０の制御に基づいて、光学系１１１から供給された入射光を受光し、電気信号（画像信号）に変換させる光電変換素子であり、変換された電気信号をＡ／Ｄ変換部１１３に供給する。なお、撮像素子１１２により生成された画像信号（アナログ信号）については、アナログ信号処理部（図示せず）により、ノイズ除去や増幅等のアナログ処理が施される。なお、撮像素子１１２として、例えば、ＣＣＤ（Charge Coupled Device）やＣＭＯＳ（Complementary Metal Oxide Semiconductor）等を用いることができる。
【００３７】
Ａ／Ｄ変換部１１３は、制御部１７０の制御に基づいて、撮像素子１１２から供給される画像信号（アナログ信号）をデジタル信号に変換するものであり、この変換されたデジタル信号（画像信号）をデジタル信号処理部１２０に供給する。
【００３８】
デジタル信号処理部１２０は、制御部１７０の制御に基づいて、Ａ／Ｄ変換部１１３から供給される画像信号（デジタル信号）について、黒レベル補正、ホワイトバランス調節、γ補正等の画像処理を行うものである。そして、デジタル信号処理部１２０は、その画像処理が施された画像信号（画像データ）を、エンコード／デコード部１３０、記録部１４０、表示部１６０等に供給する。
【００３９】
エンコード／デコード部１３０は、画像データについて、圧縮符号化（エンコード）処理や伸張復号処理（デコード）処理を行うものである。例えば、エンコード／デコード部１３０は、記録動作時には、デジタル信号処理部１２０から供給された画像データについて圧縮符号化（エンコード）処理を行う。また、エンコード／デコード部１３０は、再生動作時には、記録部１４０に記録されている画像データについて伸張復号処理（デコード）処理を行う。
【００４０】
記録部１４０は、制御部１７０の制御に基づいて、各種情報（静止画コンテンツや動画コンテンツ）を記憶する記録媒体である。なお、記録部１４０は、情報処理装置１００に内蔵するようにしてもよく、情報処理装置１００から着脱可能とするようにしてもよい。また、記録部１４０として、半導体メモリ、光記録媒体、磁気ディスク、ＨＤＤ（Hard Disk Drive）等の種々の記録媒体を用いることができる。
【００４１】
操作部１５０は、ユーザにより行われた操作を受け付ける操作受付部であり、受け付けられた操作内容に応じた制御信号（操作信号）を制御部１７０に出力する。
【００４２】
表示部１６０は、制御部１７０の制御に基づいて各画像を表示する表示パネル（例えば、液晶ファインダー）である。例えば、表示部１６０は、デジタル信号処理部１２０から供給された画像データを、プレビュー画像として表示する。なお、表示部１６０として、例えば、ＬＣＤ（Liquid Crystal Display）、有機ＥＬ（Electro Luminescence）パネル等の表示パネルを用いることができる。
【００４３】
制御部１７０は、情報処理装置１００の各部を制御するものである。制御部１７０は、例えば、ＲＯＭ１７１に記憶されるプログラムを実行するＣＰＵ（Central Processing Unit）等から構成され、そのプログラムに基づいて、情報処理装置１００の各部を制御する。
【００４４】
ＲＯＭ１７１は、制御部１７０に実行させるプログラムや各種データを記憶する不揮発性メモリである。
【００４５】
ＲＡＭ１７２は、制御部１７０が動作する際に一時的に保持すべきデータや書き換え可能なデータを保持する揮発性メモリであり、例えば、制御部１７０が動作する際に作業用のメモリ（例えば、図３に示す作業メモリ２２０）として用いられる。
【００４６】
位置情報取得部１８１は、情報処理装置１００が存在する位置を示す位置情報を取得するものであり、この取得された位置情報を制御部１７０に出力する。位置情報取得部１８１は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００４７】
時間情報取得部１８２は、時刻を含む時間情報を取得するものであり、この取得された時間情報を制御部１７０に出力する。
【００４８】
ネットワークＩ／Ｆ１９０は、制御部１７０の制御に基づいて、有線ＬＡＮや無線ＬＡＮ等のネットワーク１０との間の通信を制御するインターフェースであり、ネットワーク１０に接続される。例えば、情報処理装置１００は、無線通信（例えば、近距離無線通信）を利用してネットワークＩ／Ｆ１９０を介して付随情報を取得することができる。ここで、付随情報は、画像コンテンツに関連付けて記録される情報であり、例えば、図４のｂに示す付属情報３１０である。なお、無線通信を利用して付随情報を取得する例については、本技術の第２の実施の形態で示す。また、制御部１７０、ネットワークＩ／Ｆ１９０は、特許請求の範囲に記載の取得部の一例である。
【００４９】
［情報処理装置の機能構成例］
図３は、本技術の第１の実施の形態における情報処理装置１００の機能構成例を示すブロック図である。
【００５０】
情報処理装置１００は、記録部１４０と、操作部１５０と、表示部１６０と、位置情報取得部１８１と、時間情報取得部１８２と、全体統括制御部２００と、撮像処理制御部２０１と、画像処理制御部２０２とを備える。また、情報処理装置１００は、表示入力制御部２０３と、多次元コード解析制御部２０４と、付随情報生成解析制御部２０５と、ファイル生成解析制御部２０６と、付随情報管理部２０７と、撮像部２１０と、作業メモリ２２０とを備える。
【００５１】
なお、記録部１４０、操作部１５０、表示部１６０、位置情報取得部１８１および時間情報取得部１８２は、図２に示す同一名称の各部に対応する。また、全体統括制御部２００、撮像処理制御部２０１、画像処理制御部２０２、表示入力制御部２０３および多次元コード解析制御部２０４は、図２に示す制御部１７０に対応する。同様に、付随情報生成解析制御部２０５、ファイル生成解析制御部２０６および付随情報管理部２０７は、図２に示す制御部１７０に対応する。また、撮像部２１０は、図２に示す撮像素子１１２、Ａ／Ｄ変換部１１３およびデジタル信号処理部１２０に対応する。また、作業メモリ２２０は、図２に示すＲＡＭ１７２に対応する。
【００５２】
全体統括制御部２００は、情報処理装置１００の全体を統括して制御するものである。
【００５３】
撮像処理制御部２０１は、全体統括制御部２００の制御に基づいて、撮像処理に関する各制御を行うものである。例えば、撮像処理制御部２０１は、撮影操作が受け付けられた場合には、画像（画像データ）を撮像部２１０から取り込み、その画像（画像データ）を作業メモリ２２０に保持させる。
【００５４】
画像処理制御部２０２は、全体統括制御部２００の制御に基づいて、画像処理に関する各制御を行うものである。例えば、画像処理制御部２０２は、撮影操作が受け付けられた場合には、画像（画像データ）に付随情報を関連付けて記録部１４０に記録させる。
【００５５】
表示入力制御部２０３は、全体統括制御部２００の制御に基づいて、表示処理および入力処理に関する各制御を行うものである。例えば、表示入力制御部２０３は、ユーザ操作が行われた場合には、その旨の操作信号を全体統括制御部２００に出力する。また、例えば、表示入力制御部２０３は、記録部１４０から読み出された画像ファイルに基づいて画像を表示部１６０に表示させる再生処理を行う。
【００５６】
多次元コード解析制御部２０４は、画像処理制御部２０２の制御に基づいて、多次元コード情報を解析して有効な情報を取得するものである。例えば、多次元コード解析制御部２０４は、作業メモリ２２０から読み出された画像（画像データ）についてＱＲコードの解析を行い、有効な情報を取得する。
【００５７】
付随情報生成解析制御部２０５は、画像処理制御部２０２の制御に基づいて、付随情報の生成や解析を行うものである。例えば、付随情報生成解析制御部２０５は、多次元コード解析制御部２０４により取得された情報（有効な情報）をＥｘｉｆ（Exchangeable image file format）タグ（Ｅｘｉｆ情報）に変換する。また、例えば、付随情報生成解析制御部２０５は、無線通信を利用して付随情報（または、これを生成するための情報）が取得された場合には、その情報をＥｘｉｆタグ（Ｅｘｉｆ情報）に変換する。また、例えば、付随情報生成解析制御部２０５は、記録部１４０から読み出された画像ファイルに含まれる付随情報の有無をチェックする。
【００５８】
ファイル生成解析制御部２０６は、画像処理制御部２０２の制御に基づいて、ファイルの生成や解析を行うものである。例えば、ファイル生成解析制御部２０６は、撮像処理制御部２０１により取り込まれた画像（画像データ）とＥｘｉｆ情報とを用いてファイルを生成する。また、例えば、ファイル生成解析制御部２０６は、記録部１４０から読み出された画像ファイルについて、ファイルデータが正しいか否かをチェックする。
【００５９】
付随情報管理部２０７は、全体統括制御部２００の制御に基づいて、作業メモリ２２０に保持されている付随情報を管理するものである。
【００６０】
撮像部２１０は、被写体を撮像して画像（画像データ）を生成するものであり、生成された画像（画像データ）を撮像処理制御部２０１に出力する。なお、撮像部２１０は、特許請求の範囲に記載のコンテンツ生成部の一例である。また、撮像部２１０、画像処理制御部２０２、多次元コード解析制御部２０４、付随情報生成解析制御部２０５は、特許請求の範囲に記載の取得部の一例である。
【００６１】
［静止画像の画像ファイルの構成例］
図４は、本技術の第１の実施の形態における記録部１４０に記録される画像ファイルのファイル構造の一例を示す図である。
【００６２】
図４に示す例では、ＤＣＦ（Design rule for Camera File system）規格により記録される静止画ファイルのファイル構造を概略的に示す。ＤＣＦは、デジタルスチルカメラやプリンタ等の機器間で、記録媒体を介して画像の相互利用を実現するためのファイルシステム規格である。また、ＤＣＦでは、Ｅｘｉｆをベースにして記録媒体に記録する場合におけるファイル名の付け方やフォルダの構成が規定されている。Ｅｘｉｆは、画像ファイルの中に画像データおよびカメラ情報を付加するための規格であり、画像ファイルを記録するための形式（ファイルフォーマット）を規定するものである。図４のａには画像ファイル３００の構成例を示し、図４のｂには付属情報３１０の構成例を示し、図４のｃにはメーカーノート３１２の構成例を示す。
【００６３】
画像ファイル３００は、ＤＣＦ規格により記録される静止画ファイルであり、図４のａに示すように、付属情報３１０および画像情報３２０から構成されている。画像情報３２０は、例えば、エンコード／デコード部１３０によりＪＰＥＧ形式で圧縮された画像データである。
【００６４】
付属情報３１０は、図４のｂに示すように、属性情報３１１およびメーカーノート（maker note）３１２から構成されている。属性情報３１１は、画像ファイル３００に関する属性情報等であり、例えば、ＧＰＳ情報、時間情報、撮像部の特性情報（例えば、デバイス特性）、撮影更新日時、画サイズ、色空間情報、メーカー名等が含まれる。ＧＰＳ情報として、例えば、緯度、経度等の撮像位置情報（例えば、ＴＡＧＩＤ＝１０００００１乃至１０００００４）が含まれる。なお、付属情報３１０は、特許請求の範囲に記載の付随情報の一例である。
【００６５】
メーカーノート３１２は、一般的にユーザ独自のデータが記録される領域であり、各メーカーが自由に情報を記録することができる拡張領域である（ＴＡＧＩＤ＝３７５００、MakerNote）。図４のｃに示すように、メーカーノート３１２には、例えば、イベントに関する時間情報３１３と、イベントに関する位置情報３１４と、イベントに関する文字情報３１５とが記録される。これらの付随情報は、例えば、図５に示すように、ＱＲコード（Quick Response code）を撮像することにより取得される。ここで、イベントは、例えば、コンサートやスポーツ競技等のイベントである。また、イベントに関する位置情報３１４は、イベントが行われている場所（イベント会場）を特定するための情報であり、例えば、緯度および経度である。また、イベントに関する時間情報３１３は、イベントが行われている時間を特定するための時間情報であり、例えば、イベントが行われている時間帯である。また、イベントに関する文字情報３１５は、イベントを特定するための文字情報であり、例えば、イベントの名称、イベントの出演者の名前である。なお、メーカーノート３１２に他の付随情報を記録するようにしてもよい。
【００６６】
［付随情報の取得例］
図５は、本技術の第１の実施の形態における情報処理装置１００により付随情報を取得する際における取得処理例を示すシーケンスチャートである。図５では、情報処理装置１００によりＱＲコードを撮像することにより付随情報を取得する例を示す。
【００６７】
ここで、ＱＲコードは、小さな矩形（３隅に配置される「回」の字型の矩形を含む）が所定の規則に従って縦横に配置されているマトリックス型２次元コードである。また、ＱＲコードを撮像して読み取ることにより、そのＱＲコードに配置されている各矩形に応じた各種情報（付随情報）を取得することができる。
【００６８】
また、ＱＲコードにより取得される内容は、例えば、図４のｃに示す各情報（イベントに関する時間情報３１３、イベントに関する位置情報３１４、イベントに関する文字情報３１５）である。また、ＱＲコードにより取得される内容には、撮像条件（撮像パラメータ）を含めることができる。そして、撮像条件（撮像パラメータ）を含む付随情報が取得された場合には、情報処理装置１００においてその撮像条件（撮像パラメータ）が設定される。また、ＱＲコードにより取得される内容には、付随情報に使用制限（例えば、時間制限、空間制限、回数制限）を付すための制限情報を含めることができる。そして、制限情報を含む付随情報が取得された場合には、情報処理装置１００において使用制限が管理される。
【００６９】
最初に、ユーザは、撮像対象となるＱＲコードに光学系１１１を向けた状態で、シャッターキー１５３を全押しする。このように、シャッターキー１５３の全押し操作が行われた場合には、その旨（撮影操作が受け付けられた旨）の操作信号を表示入力制御部２０３が検出する。そして、表示入力制御部２０３は、その旨を全体統括制御部２００に出力する（４０１）。
【００７０】
全体統括制御部２００は、撮影操作が受け付けられた旨の通知を受け付けると、画像の取り込みを撮像処理制御部２０１に指示する（４０２）。画像取込指示を受け付けると、撮像処理制御部２０１は、撮像部２１０により生成された画像（画像データ）を取り込み（４０３）、その画像（画像データ）を作業メモリ２２０に保持させ（４０４）、画像取込通知を全体統括制御部２００に出力する。
【００７１】
画像取込通知を受け付けると、全体統括制御部２００は、画像処理制御部２０２に対して、ＱＲコードの解析およびＥｘｉｆタグへの変換を指示する（４０５）。すなわち、付随情報記録指示が行われる（４０５）。
【００７２】
付随情報記録指示を受け付けると、画像処理制御部２０２は、作業メモリ２２０に保持されている画像（画像データ）を読み出す（４０６）。そして、画像処理制御部２０２は、多次元コード解析制御部２０４にＱＲコードを解析させるための指示（画像解析指示）を行う（４０７）。続いて、多次元コード解析制御部２０４は、作業メモリ２２０から読み出された画像（画像データ）についてＱＲコードの解析を行い、有効な情報を取得して、その有効な情報を画像処理制御部２０２に出力する（４０８）。
【００７３】
続いて、画像処理制御部２０２は、付随情報生成解析制御部２０５にＥｘｉｆタグを生成させるための指示（変換指示）を行う（４０９）。続いて、付随情報生成解析制御部２０５は、多次元コード解析制御部２０４により取得された情報（有効な情報）をＥｘｉｆタグ（Ｅｘｉｆ情報）に変換して、その変換後の情報（変換情報）を画像処理制御部２０２に出力する（４１０）。
【００７４】
ここで、多次元コード解析制御部２０４により取得された情報（有効な情報）が、Ｅｘｉｆ規格に定義されている情報である場合には、付随情報生成解析制御部２０５は、Ｅｘｉｆ規格に則ったフォーマットに変換する。一方、その取得された情報（有効な情報）がＥｘｉｆ規格に定義されていない情報（未定義の情報）である場合には、付随情報生成解析制御部２０５は、各社が独自に使用することができる領域に格納する情報として、独自フォーマットで変換する。ここで、各社が独自に使用することができる領域は、例えば、図４のｂ、ｃに示すメーカーノート３１２である。
【００７５】
そして、画像処理制御部２０２は、変換情報（Ｅｘｉｆ情報）を取得し（４１１）、その変換情報を一時的に作業メモリ２２０に保持させる（４１２）。なお、作業メモリ２２０に既に同じＥｘｉｆ情報が存在している場合は、新たに取得された変換情報に置き換えるようにする。また、画像処理制御部２０２は、付随情報の記録が終了した旨を全体統括制御部２００に通知する（４１３）。
【００７６】
［画像の記録例］
図６は、本技術の第１の実施の形態における情報処理装置１００により画像を記録する際における記録処理例を示すシーケンスチャートである。図６では、被写体の撮像により生成された静止画像を記録する例を示す。
【００７７】
また、図６では、付随情報が作業メモリ２２０に保持されている状態で、ユーザが通常の撮像動作を行った場合における記録処理の流れを示す。
【００７８】
最初に、ユーザは、撮像対象となる被写体に光学系１１１を向けた状態で、シャッターキー１５３を全押しする。このように、シャッターキー１５３の全押し操作が行われた場合には、その旨（撮影操作が受け付けられた旨）の操作信号を表示入力制御部２０３が検出する。そして、表示入力制御部２０３は、その旨を全体統括制御部２００に出力する（４１５）。
【００７９】
全体統括制御部２００は、撮影操作が受け付けられた旨の通知を受け付けると、画像の取り込みを撮像処理制御部２０１に指示する（４１６）。画像取込指示を受け付けると、撮像処理制御部２０１は、撮像部２１０により生成された画像（画像データ）を取り込み（４１７）、その画像（画像データ）を作業メモリ２２０に保持させ（４１８）、画像取込通知を全体統括制御部２００に出力する。
【００８０】
画像取込通知を受け付けると、全体統括制御部２００は、画像処理制御部２０２に対して、その取り込まれた画像のファイル化および記録を指示する（４１９）。すなわち、ファイル作成および記録指示が行われる（４１９）。
【００８１】
ファイル作成および記録指示を受け付けると、画像処理制御部２０２は、作業メモリ２２０に保持されている画像（画像データ）を読み出す（４２０）。そして、画像処理制御部２０２は、付随情報生成解析制御部２０５により生成されたＥｘｉｆ情報を取得する（４２１、４２２）。このＥｘｉｆ情報は、画像ファイルに記録される情報（例えば、図４のｂに示す属性情報３１１）であり、例えば、位置情報取得部１８１により取得された位置情報と、時間情報取得部１８２により取得された時刻情報とを含む。
【００８２】
続いて、画像処理制御部２０２は、作業メモリ２２０に保持されているＥｘｉｆ情報（ＱＲコードから変換された変換情報）（４２３）を取得する（４２４）。続いて、画像処理制御部２０２は、ファイル生成解析制御部２０６に画像ファイルを生成させるための指示（ファイル化指示）を行う（４２５）。続いて、ファイル生成解析制御部２０６は、撮像処理制御部２０１により取り込まれた画像（画像データ）と、取得されたＥｘｉｆ情報とを用いてファイルを生成する（４２６）。ここで、その取得されたＥｘｉｆ情報には、付随情報生成解析制御部２０５により生成されたＥｘｉｆ情報と、ＱＲコードから変換された変換情報（Ｅｘｉｆ情報）とが含まれる。
【００８３】
なお、作業メモリ２２０にＥｘｉｆ情報が保持されていない場合（ＱＲコードから変換されたＥｘｉｆ情報が存在していない場合）も想定される。この場合には、付随情報生成解析制御部２０５により生成されたＥｘｉｆ情報（例えば、位置情報、時刻情報）のみを用いて画像ファイルが生成される。
【００８４】
このように、ファイル生成解析制御部２０６により画像ファイルが生成されると、画像処理制御部２０２は、その生成された画像ファイルを記録部１４０に記録させる（４２７）。続いて、画像処理制御部２０２は、画像ファイルの記録が終了した旨を全体統括制御部２００に通知する（４２８）。
【００８５】
［画像のアップロード例］
図７は、本技術の第１の実施の形態における情報処理装置１００により画像をアップロードする際におけるアップロード処理例を示すシーケンスチャートである。
【００８６】
図７では、被写体の撮像により生成された静止画像をアップロードする例を示す。このアップロードは、例えば、ＳＮＳ（Social Networking Service）へのアップロードである。また、図７では、付随情報が作業メモリ２２０に保持されている状態で、ユーザが通常の撮像動作を行った場合におけるアップロード処理の流れを示す。
【００８７】
なお、図７に示すシーケンスチャートは、図６の変形例であるため、図６と共通する部分については、同一の符号を付して、その説明の一部を省略する。
【００８８】
画像処理制御部２０２は、ファイル生成解析制御部２０６により画像ファイルが生成されると、その生成された画像ファイルをネットワーク１０を介して他の情報処理装置（例えば、サーバ）にアップロードする（４３１）。続いて、画像処理制御部２０２は、画像ファイルのアップロードが終了した旨を全体統括制御部２００に通知する（４３２）。
【００８９】
［画像の再生例］
図８は、本技術の第１の実施の形態における情報処理装置１００により画像を再生する際における再生処理例を示すシーケンスチャートである。図８では、付随情報が関連付けて記録されている画像のみを再生する再生モードを設定して画像を再生する例を示す。
【００９０】
最初に、ユーザは、再生キー１５２を押下する。このように、再生キー１５２の押下操作が行われた場合には、その旨（再生操作が受け付けられた旨）の操作信号を表示入力制御部２０３が検出する（４４１）。そして、表示入力制御部２０３は、その旨を全体統括制御部２００に出力する（４４２）。なお、全体統括制御部２００は、再生操作が受け付けられた旨の通知を受け付けると、付随情報が関連付けて記録されている画像のみを再生する再生モードを設定する。
【００９１】
また、全体統括制御部２００は、再生操作が受け付けられた旨の通知を受け付けると、付随情報が関連付けて記録されている画像の取得を画像処理制御部２０２に指示する（４４２）。画像取得指示を受け付けると、画像処理制御部２０２は、付随情報が関連付けて記録されている画像のファイル（画像ファイル）（４４４）を記録部１４０から読み出して取得する（４４３）。
【００９２】
続いて、画像処理制御部２０２は、取得されたファイル（画像ファイル）のデータ（ファイルデータ）が正しいか否かをチェックするファイル解析を行わせるための指示（ファイルチェック指示）をファイル生成解析制御部２０６に行う（４４５）。続いて、ファイル生成解析制御部２０６は、画像処理制御部２０２により取得された画像ファイルについて、ファイルデータが正しいか否かをチェックする（４４６）。すなわち、ファイル解析が行われる（４４６）。
【００９３】
そのファイルデータが正しい場合には（４４６）、画像処理制御部２０２は、取得された画像ファイルに含まれる付随情報の有無をチェックする付随情報解析を行わせるための指示（付随情報チェック指示）を付随情報生成解析制御部２０５に行う（４４７）。続いて、付随情報生成解析制御部２０５は、画像処理制御部２０２により取得された画像ファイルに含まれる付随情報の有無をチェックする（４４８）。すなわち、付随情報解析が行われる（４４８）。そして、付随情報生成解析制御部２０５は、その解析結果を画像処理制御部２０２に出力する（４４８）。
【００９４】
そのファイルデータが正しくない場合には（４４６）、画像処理制御部２０２は、取得された画像ファイルに含まれる付随情報の有無をチェックせずに、その旨を全体統括制御部２００に通知する。この場合には、全体統括制御部２００は、表示入力制御部２０３に再生指示を出力しない。
【００９５】
続いて、画像処理制御部２０２は、付随情報生成解析制御部２０５からの解析結果が、付随情報が有である場合には、その解析結果を全体統括制御部２００に通知する（４４９）。全体統括制御部２００は、その解析結果を受け付けた場合には、表示入力制御部２０３に再生指示を出力する（４５０）。表示入力制御部２０３は、その再生指示を受け付けた場合には、記録部１４０から取得された画像ファイルに基づいて、画像を表示部１６０に表示させる再生処理を行う（４５１）。これにより、ユーザは、記録部１４０に記録されている画像ファイルを確認することができる。
【００９６】
また、記録部１４０に複数の画像ファイルが記録されている場合には、その画像ファイルの数だけ、上述した再生処理（４４３乃至４５１）が繰り返し行われる。
【００９７】
なお、画像処理制御部２０２は、付随情報生成解析制御部２０５からの解析結果が、付随情報が無である場合には、その解析結果を全体統括制御部２００に通知する（４４９）。その解析結果を受け付けた場合には、全体統括制御部２００は、表示入力制御部２０３に再生指示を出力しない。
【００９８】
また、画像処理制御部２０２は、全ての画像ファイルに関する再生処理が終了した場合には、その旨を全体統括制御部２００に通知する（４５２）。
【００９９】
［画像のアップロード例］
図９は、本技術の第１の実施の形態における情報処理装置１００により画像をアップロードする際におけるアップロード処理例を示すシーケンスチャートである。
【０１００】
図９では、付随情報が関連付けて記録されている画像のみをアップロード（例えば、ＳＮＳへのアップロード）するアップロードモードを設定して画像をアップロードする例を示す。
【０１０１】
なお、図９に示すシーケンスチャートは、図８の変形例であるため、図８と共通する部分については、同一の符号を付して、その説明の一部を省略する。
【０１０２】
最初に、ユーザは、アップロード操作を行う。このように、アップロード操作が行われた場合には、その旨（アップロード操作が受け付けられた旨）の操作信号を表示入力制御部２０３が検出する（４６１）。そして、表示入力制御部２０３は、その旨を全体統括制御部２００に出力する（４６２）。なお、全体統括制御部２００は、アップロード操作が受け付けられた旨の通知を受け付けると、付随情報が関連付けて記録されている画像のみをアップロードするアップロードモードを設定する。
【０１０３】
また、画像処理制御部２０２は、付随情報生成解析制御部２０５からの解析結果が、付随情報が有である場合には、記録部１４０から取得された画像ファイルをアップロードするアップロード処理を行う（４６３）。これにより、ユーザは、記録部１４０に記録されている画像ファイルを容易にアップロードすることができる。
【０１０４】
また、記録部１４０に複数の画像ファイルが記録されている場合には、その画像ファイルの数だけ、上述した再生処理（４４３乃至４４９、４６３）が繰り返し行われる。
【０１０５】
なお、画像処理制御部２０２は、画像ファイルのファイルデータが正しくない場合、または、付随情報生成解析制御部２０５からの解析結果が、付随情報が無である場合には、アップロード処理を行わない。
【０１０６】
また、画像処理制御部２０２は、全ての画像ファイルに関するアップロード処理が終了した場合には、その旨を全体統括制御部２００に通知する（４６４）。
【０１０７】
［情報処理装置の動作例］
図１０は、本技術の第１の実施の形態における情報処理装置１００による付随情報生成処理の処理手順の一例を示すフローチャートである。なお、この処理手順は、図５に示す各処理（４０６乃至４１２）に対応する。すなわち、この処理手順は、多次元コード情報をＥｘｉｆ情報に変換する際における処理手順の一例である。
【０１０８】
最初に、画像処理制御部２０２が、作業メモリ２２０に保持されている画像データ（画像）を読み出す（ステップＳ９０１）。続いて、多次元コード解析制御部２０４は、その画像データにＱＲコードが含まれるか否かを判断し（ステップＳ９０２）、その画像データにＱＲコードが含まれていない場合には、付随情報生成処理の動作を終了する。一方、その画像データにＱＲコードが含まれている場合には（ステップＳ９０２）、多次元コード解析制御部２０４は、そのＱＲコードに認識することができるメタデータ（有効な情報）が含まれるか否かを判断する（ステップＳ９０３）。そのＱＲコードに認識することができるメタデータが含まれていない場合には（ステップＳ９０３）、付随情報生成処理の動作を終了する。
【０１０９】
そのＱＲコードに認識することができるメタデータが含まれている場合には（ステップＳ９０３）、多次元コード解析制御部２０４は、その認識することができるメタデータの数を保持する（ステップＳ９０４）。続いて、多次元コード解析制御部２０４は、保持されている数分のメタデータの解析が終了したか否かを判断し（ステップＳ９０５）、保持されている数分のメタデータの解析が終了した場合には、付随情報生成処理の動作を終了する。
【０１１０】
保持されている数分のメタデータの解析が終了していない場合には（ステップＳ９０５）、多次元コード解析制御部２０４は、解析が終了していないメタデータのうちの１つを選択して、この選択されたメタデータについて解析を行う（ステップＳ９０６）。その解析の結果、メタデータがＥｘｉｆ規格に定義されているメタデータである場合には（ステップＳ９０７）、付随情報生成解析制御部２０５は、そのメタデータを、Ｅｘｉｆ規格で定義されているＥｘｉｆタグ（Ｅｘｉｆ情報）に変換する（ステップＳ９０８）。一方、そのメタデータがＥｘｉｆ規格に定義されているメタデータでない場合には（ステップＳ９０７）、付随情報生成解析制御部２０５は、そのメタデータを用いて独自のＥｘｉｆタグ（Ｅｘｉｆ情報）を生成する（ステップＳ９０９）。
【０１１１】
続いて、画像処理制御部２０２は、それらのタグを作業メモリ２２０に保持させ（ステップＳ９１０）、ステップＳ９０５に戻る。
【０１１２】
このように、制御部１７０（例えば、画像処理制御部２０２、多次元コード解析制御部２０４、付随情報生成解析制御部２０５）は、付随情報を取得する。例えば、制御部１７０は、画像コンテンツの生成場所に関する情報を含む付随情報を取得する。この画像コンテンツの生成場所に関する情報は、例えば、その生成場所において行われるイベントに関する時間情報と、そのイベントに関する位置情報と、そのイベントに関する文字情報とのうちの少なくとも１つである。
【０１１３】
また、例えば、制御部１７０は、撮像部２１０により取得された多次元コード情報に基づいて付随情報を生成することができる。また、例えば、制御部１７０は、無線通信を利用して付随情報を取得することができる。
【０１１４】
また、制御部１７０は、付随情報が取得されてから所定条件を満たす状態となるまでの間、その付随情報を画像コンテンツに関連付ける制御を行う。この所定条件を満たす状態は、例えば、削除操作が受け付けられた場合や、使用制限に係る限界値（例えば、制限時間）を超えた場合を意味する。
【０１１５】
また、制御部１７０は、付随情報が関連付けられた画像コンテンツを記録部１４０に記録させる制御を行う。また、制御部１７０は、付随情報が関連付けられた画像コンテンツをネットワーク１０を介して他の情報処理装置に送信する制御を行う。
【０１１６】
ここで、近年では、デジタルスチルカメラやスマートフォンが普及し、記録メディアの容量が増加している。このため、静止画や動画等を大量に撮影するユーザが多数存在する。そこで、大量の画像の中からユーザが欲している画像だけを高速に見つけだすため、画像に付随情報（付加情報）としてタグを埋め込んでおく等して検索性を向上させることが想定される。
【０１１７】
しかしながら、タグ情報をユーザが手動で設定する場合には、画像が多い場合等に時間と手間がかかってしまう。
【０１１８】
また、ＳＮＳ（ソーシャル・ネットワーキング・サービス）が広く普及しており、複数のユーザにより画像を共有する機会が増えている。例えば、自分で撮影した画像をクラウドサービス等にアップロードすることにより、画像を共有することができる。ただし、このようにアップロードする場合には、検索性を向上させるため、画像ファイルにタグ情報を埋め込むことが必要となる。
【０１１９】
しかしながら、タグ情報は、画像ファイルに埋め込まれていないため、例えば、ユーザがアップロードする際に自分で手入力しなければならない。このため、タグ情報をユーザが手動で設定する場合には、外出先からすぐにアップロードしたい時等に時間と手間がかかってしまう。
【０１２０】
そこで、本技術の第１の実施の形態では、多次元コード情報にタグ情報を埋め込んでおき、その多次元コード情報をユーザが情報処理装置１００により撮影することにより、そのタグ情報を情報処理装置１００に容易に保持させることができる。そして、これ以降に生成された画像ファイルの全てにそのタグ情報を自動で埋め込むことができる。また、多次元コード情報内に付随情報の有効期限や物理的な有効範囲等を埋め込んでおくことにより、付随情報自体の信頼性を向上させることができ、タグ情報をさらに有効に活用することができる。なお、この例については、本技術の第２の実施の形態で示す。
【０１２１】
このように、本技術の第１の実施の形態によれば、例えば、事前に１回だけ関連付けのための操作を行っておくことにより、これ以降に撮影される画像に関しては、付随情報を自動で付加することができる。このため、付随情報を付加するためのユーザ操作を省略することができる。また、関連付けのための操作自体もユーザが文字入力するものではなく、撮影するだけという撮影機器の扱い上自然な行為であり、ユーザは気軽・容易に行うことができる。また、ユーザは、手入力でのタグ情報の埋め込みの煩わしさから解放される。
【０１２２】
また、関連付けのためのユーザ操作は撮影のみであり、付随情報自体の入力はシステムで自動化されるため、ユーザが付随情報を入力し間違うことが無くなる。また、付随情報自体が同一に定義されることにより、各々のユーザが個別に入力したような情報（例えば、殆ど似ているが微妙に異なる情報）を付随情報として記録することを防止することができる。これにより、検索時の精度低下を防ぐことができる。
【０１２３】
また、付随情報は、画像上に重ねて記録せずに、付随情報専用領域（例えば、図４のｂに示す付属情報３１０を記録するための領域）に記録されるため、使用メモリ量を削減することができる。また、画像の閲覧時に、その画像自体に重ねて表示されることがない。また、Ｅｘｉｆという共通フォーマットに則ることにより、機種互換性も担保することができる。
【０１２４】
具体的には、例えば、イベント会場の受付やチケット等に、タグ情報を埋め込まれている多次元コード情報を主催者側が用意しておくようにすることができる。そして、そのイベントに来場した来場者が多次元コード情報を撮影してそのイベントの画像をクラウドやＳＮＳ等にアップロードして登録することにより、そのイベント自体の認知度を向上させることができる。また、同一文字列のタグ情報を用いることができるため、検索性を大幅に向上させることができる。
【０１２５】
なお、本技術の第１の実施の形態では、ＱＲコードを用いて付随情報を取得する例を示したが、２次元コード、３次元コード等の他の多次元コード情報を用いて付随情報を取得するようにしてもよい。また、バーコード等のコード情報を用いて付随情報を取得するようにしてもよい。また、無線ＬＡＮ（例えば、ＷｉＦｉ）やＢｌｕｅｔｏｏｔｈ（登録商標）等の無線通信を利用して付随情報を取得するようにしてもよい。
【０１２６】
また、本技術の第１の実施の形態では、静止画に付随情報を関連付けて記録する例を示したが、動画に付随情報を関連付けて記録する場合についても、本技術の第１の実施の形態を適用することができる。この場合には、動画ファイルにおける付随情報の記録領域に、付随情報が記録される。
【０１２７】
＜２．第２の実施の形態＞
本技術の第１の実施の形態では、多次元コード情報を撮影することにより取得された付随情報を用いる例を示した。ここで、例えば、コンサートやオリンピック等のように、期間や場所が限定されているイベントを想定する。このイベントにおいてコンテンツ（静止画、動画）の記録を行う場合には、そのイベントの期間だけ、そのイベントに対応する付随情報を使用することが想定される。このため、そのイベントに対応する付随情報に使用制限を付すことにより、そのイベントに対応する付随情報については、ユーザが使用を所望する範囲でのみ有効とすることができる。
【０１２８】
そこで、本技術の第２の実施の形態では、使用制限が付された付随情報を用いる例を示す。なお、本技術の第２の実施の形態における情報処理装置の構成については、図１乃至図３等に示す例と略同様である。このため、本技術の第１の実施の形態と共通する部分については、同一の符号を付して、これらの説明の一部を省略する。
【０１２９】
また、上述したように、情報処理装置１００は、無線通信を利用して付随情報を取得することができる。そこで、本技術の第２の実施の形態では、無線通信（例えば、近距離無線通信）を利用して、使用制限が付された付随情報を取得して用いる例を示す。
【０１３０】
ここで、無線通信として、例えば、ＮＦＣ（Near Field Communication）、無線ＬＡＮ（例えば、ＷｉＦｉ）、Ｂｌｕｅｔｏｏｔｈ、赤外線、携帯電波等の無線通信を用いることができる。また、これらの無線通信により、上述した付随情報をネットワークＩ／Ｆ１９０を介して受信することができる。例えば、イベント会場において、サーバが定期的または不定期に無線通信により送信する付随情報をネットワークＩ／Ｆ１９０を介して受信することができる。このように、無線通信を利用して、使用制限が付された付随情報を取得した場合には、情報処理装置１００は、その取得された付随情報の使用開始および使用終了を自動で設定するようにしてもよい。
【０１３１】
［使用制限例］
図１１は、本技術の第２の実施の形態における情報処理装置１００に保持されている付随情報の使用制限例を示す図である。
【０１３２】
図１１のａには、使用制限として空間的な制限を付す例を示す。例えば、地図６００上において、情報処理装置１００の現在位置６０１を白抜きの矩形で示し、有効範囲６１０を点線の矩形で示す。なお、有効範囲６１０は、点線の矩形の四隅の角（白抜きの丸で示す）６１１乃至６１４に対応する緯度および経度により特定される。
【０１３３】
図１１のａに示す例では、情報処理装置１００の現在位置６０１が有効範囲６１０内に存在する場合には、有効範囲６１０に対応する付随情報（情報処理装置１００に保持されている付随情報）を使用することができる。一方、情報処理装置１００の現在位置６０１が有効範囲６１０の外に出たような場合には、有効範囲６１０に対応する付随情報（情報処理装置１００に保持されている付随情報）を使用することができなくなる。このように、情報処理装置１００の現在位置６０１が有効範囲６１０の外に出たような場合には、有効範囲６１０に対応する付随情報（情報処理装置１００に保持されている付随情報）を削除するようにしてもよく、一時的に使用不可とするようにしてもよい。
【０１３４】
また、情報処理装置１００の現在位置６０１が、有効範囲６１０内に存在するものの、有効範囲６１０の外に出そうな場合には、その旨をユーザに通知するようにしてもよい。例えば、情報処理装置１００の現在位置６０１が、有効範囲６１０内に存在するものの、警告通知範囲６２０の外側となっている場合には、その旨をユーザに通知するようにしてもよい。なお、警告通知範囲６２０は、点線の矩形の四隅の角（白抜きの丸で示す）６２１乃至６２４に対応する緯度および経度により特定される。例えば、その旨の音声出力や、その旨のメッセージ表示等によりユーザに通知することができる。この例を図１４、図１５に示す。
【０１３５】
また、情報処理装置１００の現在位置６０１と、有効範囲６１０の外周との最短距離を算出し、この最短距離をユーザに通知（例えば、表示、音声出力）するようにしてもよい。この例を図１４、図１５に示す。
【０１３６】
図１１のｂには、使用制限として時間的な制限を付す例を示す。例えば、有効期間をＴ１０とし、この有効期間Ｔ１０に対応する付随情報の取得時をｔ１とし、取得時ｔ１から有効期間Ｔ１０が経過した時点を有効期限ｔ２とする。
【０１３７】
図１１のｂに示す例では、有効期間Ｔ１０内である場合には、有効期間Ｔ１０に対応する付随情報（情報処理装置１００に保持されている付随情報）を使用することができる。一方、有効期間Ｔ１０が経過した場合（有効期限ｔ２に達した場合）には、有効期間Ｔ１０に対応する付随情報（情報処理装置１００に保持されている付随情報）を使用することができなくなる。このように、有効期間Ｔ１０が経過した場合には、有効期間Ｔ１０に対応する付随情報（情報処理装置１００に保持されている付随情報）を削除するようにしてもよく、一時的に使用不可とするようにしてもよい。
【０１３８】
また、有効期間Ｔ１０に対応する付随情報を情報処理装置１００が取得した場合には、その取得時ｔ１からの経過時間に基づいて、有効期間Ｔ１０の残り時間を表示するようにしてもよい。この例を図１３等に示す。また、所定のタイミングになった場合（例えば、有効期限ｔ２の１時間前）には、その付随情報の使用可能時間が迫っている旨を通知（例えば、表示、音声出力）するようにしてもよい。
【０１３９】
図１１のｃには、使用制限として使用回数の制限を付す例を示す。例えば、有効回数を７回とする。
【０１４０】
図１１のｃに示す例では、有効回数（７回）の範囲内である場合には、有効回数（７回）に対応する付随情報（情報処理装置１００に保持されている付随情報）を使用することができる。一方、有効回数（７回）だけ使用した場合には、有効回数（７回）に対応する付随情報（情報処理装置１００に保持されている付随情報）を使用することができなくなる。このように、有効回数（７回）だけ使用した場合には、有効回数（７回）に対応する付随情報（情報処理装置１００に保持されている付随情報）を削除するようにしてもよく、一時的に使用不可とするようにしてもよい。
【０１４１】
また、有効回数（７回）に対応する付随情報を情報処理装置１００が取得した場合には、その取得時からの使用回数に基づいて、有効回数（７回）の残り回数を表示するようにしてもよい。また、静止画については、使用回数の制限を付し、動画については、記録時間の制限を付すようにしてもよい。この例を図１６に示す。また、所定の回数になった場合（例えば、５回）には、その付随情報の使用可能回数に達する旨を通知（例えば、表示、音声出力）するようにしてもよい。
【０１４２】
なお、図１１のａ乃至ｃでは、使用制限として、空間的な制限、時間的な制限、回数制限の何れかを付す例を示したが、これらの組合せを使用制限として付すようにしてもよい。また、使用制限として他の制限を付すようにしてもよく、図１１のａ乃至ｃに示す例の組合せと、他の制限との組合せを使用制限として付すようにしてもよい。
【０１４３】
［使用制限に関する情報の表示例］
図１２は、本技術の第２の実施の形態における表示部１６０に表示される付随情報表示画面の一例（付随情報表示画面６３０）を示す図である。なお、図１２では、情報処理装置１００に備えられる電源キー１５１、再生キー１５２等の図示を省略する。また、図１３等についても同様に省略して示す。
【０１４４】
付随情報表示画面６３０は、情報処理装置１００に保持されている付随情報に関する各種情報を表示するための画面である。図１２では、情報処理装置１００に保持されている付随情報に対応する使用制限として、空間的な制限、時間的な制限が付されている例を示す。図１２では、○○オリンピックにおける各種目に関する付随情報が情報処理装置１００により取得された場合における表示例を示す。
【０１４５】
具体的には、付随情報表示画面６３０には、○○オリンピックを開催する△国の地図６００が表示されるとともに、地図６００上に、情報処理装置１００に保持されている付随情報に関する各種情報（表示情報６３１、表示情報６３２）が表示される。
【０１４６】
例えば、表示情報６３１は、○○オリンピックにおける陸上競技に関する付随情報を表すものである。例えば、陸上競技が行われる場所の範囲（付随情報に対応する有効範囲）に対応する矩形が表示されるとともに、陸上競技が行われる期間（付随情報に対応する有効期間）が表示される。
【０１４７】
例えば、表示情報６３２は、○○オリンピックにおける自転車競技に関する付随情報を表すものである。例えば、自転車競技が行われる場所の範囲（付随情報に対応する有効範囲）に対応する矩形が表示されるとともに、自転車競技が行われる期間（付随情報に対応する有効期間）が表示される。このように、複数の付随情報（例えば、陸上競技、自転車競技に関する付随情報）を予め取得しておくことにより、各付随情報の有効期間内になったらその有効期間内の付随情報をコンテンツに自動的に関連付けることができる。
【０１４８】
なお、この例では、付随情報に対応する有効範囲を矩形で表す例を示すが、矩形以外の有効範囲が設定されている場合には、その設定されている有効範囲に対応する表示態様とすることができる。
【０１４９】
［使用制限に関する情報の表示例］
図１３乃至図１９は、本技術の第２の実施の形態における情報処理装置１００を用いた撮像動作時に表示される表示画面例を示す図である。
【０１５０】
なお、図１３乃至図１９に示す各表示画面では、撮像部２１０により生成された画像（いわゆる、スルー画像）が表示されているものとする。
【０１５１】
図１３には、使用制限として、空間的な制限、時間的な制限が付されている付随情報が情報処理装置１００に保持されている場合における表示例を示す。例えば、○○オリンピックにおける競泳会場において取得された付随情報を用いて情報処理装置１００により撮像動作が行われている場合が想定される。
【０１５２】
図１３に示す表示画面６４０には、ユーザにより撮像対象とされている被写体（例えば、競泳の選手）がスルー画像として表示され、このスルー画像上に、付随情報表示領域６４１、６４２と、今すぐ終了ボタン６４３とが設けられている。
【０１５３】
付随情報表示領域６４１は、例えば、情報処理装置１００に保持されている付随情報を表示するための領域である。例えば、付随情報表示領域６４１には、情報処理装置１００に保持されている付随情報として○○オリンピックの各種目が表示される。
【０１５４】
付随情報表示領域６４２は、例えば、情報処理装置１００に保持されている付随情報に付されている使用制限を表示するための領域である。例えば、付随情報表示領域６４２には、情報処理装置１００に保持されている付随情報に付されている時間的な制限に係る値が表示される。例えば、付随情報表示領域６４２には、有効期限の残り時間が表示され、その有効期限の終了時には「終了」が表示される。
【０１５５】
今すぐ終了ボタン６４３は、情報処理装置１００に保持されている付随情報を削除する場合に押下されるボタンである。すなわち、情報処理装置１００に保持されている付随情報をユーザ操作により容易に削除することができる。
【０１５６】
図１４には、使用制限として、空間的な制限、時間的な制限が付されている付随情報が情報処理装置１００に保持されている場合における表示例を示す。例えば、○○オリンピックにおける陸上会場において取得された付随情報を用いて情報処理装置１００により撮像動作が行われている場合が想定される。
【０１５７】
なお、図１４に示す表示画面６５０は、図１３に示す表示画面６４０の一部を変形したものであり、スルー画像上に有効範囲通知領域６５１が設けられている点が異なる。このため、図１３に示す表示画面６４０と共通する部分には、同一の符号を付してこれらの説明を省略する。
【０１５８】
有効範囲通知領域６５１は、情報処理装置１００の現在位置が、情報処理装置１００に保持されている付随情報に対応する有効範囲から出そうになった場合に表示される領域である。有効範囲通知領域６５１には、例えば、情報処理装置１００の現在位置が有効範囲から出そうになった旨と、有効範囲から出るまでの移動距離とが表示される。
【０１５９】
ここで、情報処理装置１００の現在位置は、位置情報取得部１８１により取得される。また、有効範囲から出るまでの移動距離は、情報処理装置１００に保持されている付随情報に対応する有効範囲と、情報処理装置１００の現在位置との関係に基づいて、制御部１７０により算出される。例えば、付随情報に対応する有効範囲の境界と、情報処理装置１００の現在位置との最短距離を、有効範囲から出るまでの移動距離として算出することができる。なお、有効範囲から出るまでの移動距離は、所定時間間隔で算出するようにしてもよく、所定距離間隔で算出するようにしてもよい。また、情報処理装置１００の移動速度（例えば、ＧＰＳにより取得）と、有効範囲から出るまでの移動距離とに基づいて、有効範囲から出るまでの時間を算出して表示するようにしてもよい。例えば、「このまま移動すると、有効範囲から出てしまいます。有効範囲を出るまで、あと３分１５秒です。」と表示することができる。なお、有効範囲から出るまでの移動距離と、有効範囲から出るまでの時間とについては、それぞれを同時に表示するようにしてもよく、何れか一方のみを表示するようにしてもよい。また、ユーザ操作により、同時表示と、何れか一方表示とを選択可能とするようにしてもよい。
【０１６０】
また、有効範囲から出るまでの移動距離を２次元的にユーザに通知するため、図１５に示す有効範囲通知領域６５２を設けるようにしてもよい。
【０１６１】
図１５には、使用制限として、空間的な制限、時間的な制限が付されている付随情報が情報処理装置１００に保持されている場合における表示例を示す。なお、図１５に示す表示画面６５５は、図１４に示す表示画面６５０の一部を変形したものであり、スルー画像上に有効範囲通知領域６５２が設けられている点が異なる。このため、図１４に示す表示画面６５０と共通する部分には、同一の符号を付してこれらの説明を省略する。
【０１６２】
有効範囲通知領域６５２は、情報処理装置１００の現在位置が、情報処理装置１００に保持されている付随情報に対応する有効範囲から出そうになった場合に表示される領域である。有効範囲通知領域６５２には、例えば、情報処理装置１００の現在位置と、情報処理装置１００に保持されている付随情報に対応する有効範囲との関係が２次元的に表示される。すなわち、有効範囲通知領域６５２には、情報処理装置１００に保持されている付随情報に対応する有効範囲における情報処理装置１００の現在位置が白抜き丸６５３により表示される。なお、有効範囲通知領域６５２については、情報処理装置１００の現在位置が、情報処理装置１００に保持されている付随情報に対応する有効範囲から出そうになっていない場合でも表示するようにしてもよい。
【０１６３】
図１６には、使用制限として、使用回数の制限が付されている付随情報が情報処理装置１００に保持されている場合における表示例を示す。例えば、○○オリンピックにおける陸上会場において取得された付随情報を用いて情報処理装置１００により撮像動作が行われている場合が想定される。
【０１６４】
なお、図１６に示す表示画面６６０は、図１３に示す表示画面６４０の一部を変形したものであり、付随情報表示領域６４２の代わりに付随情報表示領域６６１が設けられている点が異なる。このため、図１３に示す表示画面６４０と共通する部分には、同一の符号を付してこれらの説明を省略する。
【０１６５】
付随情報表示領域６６１は、例えば、情報処理装置１００に保持されている付随情報に付されている使用制限を表示するための領域である。例えば、付随情報表示領域６６１には、情報処理装置１００に保持されている付随情報に付されている使用回数の制限が表示される。ただし、図１６には、静止画の使用回数とともに、動画の使用可能時間を表示する例を示す。
【０１６６】
ここで、例えば、ユーザによる手動操作または自動（無線通信の利用による自動取得）で、情報処理装置１００が新たな付随情報を取得する場合を想定する。この場合には、現在保持されている付随情報の使用を継続するか、新たに取得された付随情報の使用を開始するかを、ユーザに選択させることができる。この例を図１７に示す。
【０１６７】
図１７には、使用制限として、時間的な制限が付されている付随情報が情報処理装置１００に保持されている場合に、新たな付随情報が取得された際における表示例を示す。例えば、○○オリンピックにおける陸上会場において取得された付随情報を用いて情報処理装置１００により撮像動作が行われている場合において、近接する競泳会場に関する付随情報が取得された場合が想定される。
【０１６８】
なお、図１７に示す表示画面６７０は、図１３に示す表示画面６４０の一部を変形したものであり、付随情報取得通知領域６７１と、撮像条件表示領域６７５とが設けられている点が異なる。このため、図１３に示す表示画面６４０と共通する部分には、同一の符号を付してこれらの説明を省略する。
【０１６９】
撮像条件表示領域６７５は、現在保持されている付随情報に対応する撮像条件（撮像パラメータ）を表示するための領域である。撮像条件表示領域６７５には、例えば、設定されている撮像条件（撮像パラメータ）をユーザが把握しやすいように、撮像条件（撮像パラメータ）が表示される。例えば、変更可能な設定や変更不可な設定が異なる表示態様により表示される。
【０１７０】
付随情報取得通知領域６７１は、例えば、情報処理装置１００により新たな付随情報が取得された場合に、その旨を通知するための領域である。例えば、付随情報取得通知領域６７１には、新たな付随情報が取得された旨と、その新たな付随情報の内容と、ＹＥＳボタン６７２およびＮＯボタン６７３と、撮像条件表示領域６７４とが表示される。
【０１７１】
撮像条件表示領域６７４は、新たな付随情報により設定される撮像条件を表示するための領域である。なお、撮像条件表示領域６７４には、新たな付随情報に撮像条件が含まれている場合のみ表示される。
【０１７２】
ここで、撮像条件は、付随情報に対応するシーン（例えば、コンサート、スポーツ競技）に応じて設定することができる。例えば、観客席からの音を出せないようなコンサートに関する付随情報の場合には、撮影禁止とするための撮像条件を設定することができる。この撮像条件は、例えば、付随情報を取得してから所定時間経過後に、撮影・録音不可に設定することができる。
【０１７３】
また、情報処理装置（例えば、撮像装置）の能力に応じて、設定／選択肢を複数表示して、ユーザに撮像条件を選択させるようにしてもよい。
【０１７４】
ＹＥＳボタン６７２は、付随情報取得通知領域６７１に表示されている新たに取得された付随情報を設定する場合に押下されるボタンである。
【０１７５】
ＮＯボタン６７３は、付随情報取得通知領域６７１に表示されている新たに取得された付随情報を設定せずに、現在保持されている付随情報を継続して使用する場合に押下されるボタンである。
【０１７６】
このように、付随情報取得通知領域６７１を表示させることにより、ＹＥＳボタン６７２およびＮＯボタン６７３の何れかを選択する選択操作をユーザに促すことができる。そして、ＹＥＳボタン６７２が押下された場合には、新たに取得された付随情報が設定される。一方、ＮＯボタン６７３が押下された場合には、現在保持されている付随情報が使用制限に達するまで継続して使用される。そして、その使用制限に達した場合には、新たに取得された付随情報が設定される。また、既に１つの付随情報が設定されている状態で、他の付随情報も設定可能な場合には、他の付随情報を設定するための領域を表示するようにしてもよい。この例を図１８に示す。
【０１７７】
図１８には、使用制限として、時間的な制限が付されている複数の付随情報が情報処理装置１００に保持されている場合に、他の付随情報を設定可能とする場合の表示例を示す。なお、図１８に示す表示画面６９０は、図１７に示す表示画面６７０において、付随情報取得通知領域６７１の代わりに、付随情報設定ボタン６９１、６９２を設けたものである。このため、図１７に示す表示画面６７０と共通する部分には、同一の符号を付してこれらの説明を省略する。
【０１７８】
付随情報設定ボタン６９１、６９２は、例えば、情報処理装置１００に複数の付随情報が保持されている場合に、それらを表示するための表示領域であり、現在の設定されている付随情報以外の他の付随情報を設定するためのボタンである。例えば、付随情報設定ボタン６９１、６９２の何れかが押下された場合には、押下されたボタンに対応する付随情報が新たに設定される。この場合に、押下されたボタンに対応する付随情報のみを新たに設定するようにしてもよく、押下されたボタンに対応する付随情報とともに既に設定されている付随情報を同時に設定するようにしてもよい。また、図１８に示すように、邪魔にならないように、付随情報設定ボタン６９１、６９２を小さく表示することができる。また、付随情報設定ボタン６９１、６９２を分かりやすくするために、各ボタンをそれぞれ異なる表示態様（例えば、異なる色で表示）とするようにしてもよい。
【０１７９】
ここで、例えば、情報処理装置１００に付随情報が保持されていない場合において、ユーザによる手動操作または自動（無線通信の利用による自動取得）で、複数の新たな付随情報が取得された場合を想定する。この場合には、新たに取得された複数の付随情報のうちの何れを使用するかを、ユーザに選択させることができる。この例を図１９に示す。
【０１８０】
図１９には、情報処理装置１００に付随情報が保持されていない場合において、複数の新たな付随情報が取得された際における表示例を示す。例えば、○○オリンピックにおける会場に到着した場合に、近接する陸上会場および競泳会場に関する付随情報が取得された場合が想定される。
【０１８１】
なお、図１９に示す表示画面６８０は、図１７に示す表示画面６７０の一部を変形したものであり、付随情報取得通知領域６７１の代わりに、付随情報取得通知領域６８１を設けた点が異なる。このため、図１７に示す表示画面６７０と共通する部分には、同一の符号を付してこれらの説明を省略する。
【０１８２】
付随情報取得通知領域６８１は、例えば、情報処理装置１００により複数の新たな付随情報が取得された場合に、その旨を通知するための領域である。例えば、付随情報取得通知領域６８１には、新たな付随情報が取得された旨と、その新たな付随情報の内容と、選択ボタン６８２、６８３と、撮像条件表示領域６８４、６８５とが表示される。
【０１８３】
撮像条件表示領域６８４、６８５は、新たな付随情報により設定される撮像条件を表示するための領域である。なお、撮像条件表示領域６８４、６８５には、新たな付随情報に撮像条件が含まれている場合のみ表示される。また、撮像条件表示領域６８４とこれに対応する付随情報の選択ボタン６８２との表示態様（例えば、色、輪郭の点線）を合わせることによりユーザに把握し易くさせることができる。同様に、撮像条件表示領域６８５とこれに対応する付随情報の選択ボタン６８３との表示態様を合わせることによりユーザに把握し易くさせることができる。
【０１８４】
選択ボタン６８２、６８３は、付随情報取得通知領域６８１に表示されている新たに取得された複数の付随情報のうちから所望の付随情報を設定する場合に押下されるボタンである。
【０１８５】
このように、付随情報取得通知領域６８１を表示させることにより、選択ボタン６８２、６８３の何れかを選択する選択操作をユーザに促すことができる。そして、選択ボタン６８２が押下された場合には、新たに取得された付随情報（競泳  女子１００ｍ背泳ぎ）が設定される。一方、選択ボタン６８３が押下された場合には、新たに取得された付随情報（陸上競技  男子１００ｍ）が設定される。
【０１８６】
なお、図１７、図１９では、情報処理装置１００により新たな付随情報が取得された場合に、その旨を表示することによりユーザに通知する例を示すが、その旨を音声出力することによりユーザに通知するようにしてもよい。また、ユーザによる選択操作を行う場合には、音声入力により選択を行うようにしてもよい。
【０１８７】
［情報処理装置の動作例］
図２０および図２１は、本技術の第２の実施の形態における情報処理装置１００による付随情報設定処理の処理手順の一例を示すフローチャートである。図２０および図２１では、静止画を記録する場合の例を示す。
【０１８８】
最初に、制御部１７０は、付随情報を取得したか否かを判断し（ステップＳ９２１）、付随情報を取得していない場合には、監視を継続して行う。一方、付随情報を取得した場合には（ステップＳ９２１）、制御部１７０は、付随情報をＲＡＭ１７２に保持させる（ステップＳ９２２）。なお、ステップＳ９２１は、特許請求の範囲に記載の取得手順の一例である。
【０１８９】
続いて、制御部１７０は、付随情報に付されている時間制限に係る残り時間のカウントを開始する（ステップＳ９２３）。なお、付随情報に時間制限が付されていない場合には、省略される。
【０１９０】
続いて、制御部１７０は、付随情報に付されている時間制限に係る残り時間と、付随情報に付されている回数制限に係る残り回数とを表示部１６０に表示させる（ステップＳ９２４）。なお、付随情報に付されていない使用制限については、表示されない。
【０１９１】
続いて、制御部１７０は、画像の記録指示操作が行われたか否かを判断し（ステップＳ９２５）、画像の記録指示操作が行われていない場合には、ステップＳ９２８に進む。一方、画像の記録指示操作が行われた場合には（ステップＳ９２５）、制御部１７０は、保持されている付随情報を画像に関連付けた画像ファイルを記録部１４０に記録させる（ステップＳ９２６）。続いて、制御部１７０は、付随情報に付されている回数制限に係る残り回数から１を減算する（ステップＳ９２７）。
【０１９２】
続いて、制御部１７０は、付随情報に付されている回数制限に係る残り回数が０となっているか否かを判断し（ステップＳ９２８）、残り回数が０となっている場合には、ステップＳ９３６に進む。一方、残り回数が０となっていない場合には（ステップＳ９２８）、制御部１７０は、付随情報に付されている時間制限に係る残り時間が０となっているか否かを判断し（ステップＳ９２９）、残り時間が０となっている場合には、ステップＳ９３６に進む。
【０１９３】
また、残り時間が０となっていない場合には（ステップＳ９２９）、制御部１７０は、ユーザによる終了操作が行われたか否かを判断し（ステップＳ９３０）、ユーザによる終了操作が行われた場合には、ステップＳ９３６に進む。ここで、ユーザによる終了操作は、例えば、図１３等に示す今すぐ終了ボタン６４３の押下操作である。
【０１９４】
続いて、位置情報取得部１８１は、位置情報を取得する（ステップＳ９３１）。ここで、何らかの理由により、位置情報取得部１８１による位置情報の取得が不能となることも想定される。このように、位置情報の取得が不能となっている場合には、使用制限として時間制限や回数制限を優先的に用いるようにすることができる。そこで、制御部１７０は、位置情報取得部１８１による位置情報の取得が不能であるか否かを判断し（ステップＳ９３２）、位置情報取得部１８１による位置情報の取得が不能である場合には、ステップＳ９２４に戻る。
【０１９５】
また、位置情報取得部１８１による位置情報の取得が可能である場合には（ステップＳ９３２）、制御部１７０は、情報処理装置１００の現在位置が、付随情報に付されている空間制限に係る有効範囲内に存在するか否かを判断する（ステップＳ９３３）。情報処理装置１００の現在位置が有効範囲内に存在する場合には（ステップＳ９３３）、制御部１７０は、情報処理装置１００の現在位置が、付随情報に付されている空間制限に係る警告通知範囲の外側に存在するか否かを判断する（ステップＳ９３４）。
【０１９６】
情報処理装置１００の現在位置が警告通知範囲内に存在する場合には（ステップＳ９３４）、ステップＳ９２４に戻る。一方、情報処理装置１００の現在位置が警告通知範囲の外側に存在する場合には（ステップＳ９３３）、制御部１７０は、その旨の警告情報を表示部１６０に表示させる。例えば、図１４、図１５に示す表示画面６５０、６５５が表示される。
【０１９７】
情報処理装置１００の現在位置が有効範囲内に存在しない場合には（ステップＳ９３３）、制御部１７０は、保持されている付随情報の使用終了を表示部１６０に表示させる（ステップＳ９３６）。続いて、制御部１７０は、保持されている付随情報をＲＡＭ１７２から削除する（ステップＳ９３７）。すなわち、保持されている付随情報が無効とされる。なお、ステップＳ９２３乃至Ｓ９３５は、特許請求の範囲に記載の制御手順の一例である。
【０１９８】
このように、制御部１７０は、時間制限と空間制限と回数制限とのうちの少なくとも１つが使用制限として付された付随情報を取得する。そして、制御部１７０は、取得された付随情報に付されている使用制限に係る限界値を超えた場合には、その付随情報を無効とする。
【０１９９】
また、制御部１７０は、取得された付随情報に付されている使用制限に関する情報を表示部１６０に表示させる制御を行う。例えば、使用制限として時間制限が付随情報に付されている場合には、その時間制限に係る残り時間が表示部１６０に表示される。例えば、図１３に示す表示画面６４０が表示される。また、例えば、使用制限として空間制限が付随情報に付されている場合には、その空間制限に係る地図上における範囲および地図上における情報処理装置１００の位置が表示部１６０に表示される。例えば、図１５に示す表示画面６５５が表示される。また、例えば、使用制限として回数制限が付随情報に付されている場合には、その回数制限に係る残り回数が表示部１６０に表示される。例えば、図１６に示す表示画面６６０が表示される。
【０２００】
また、制御部１７０は、取得された付随情報に付されている使用制限に係る限界値を超えていない場合においてその使用制限に係る通知閾値を越えた場合には、所定条件を満たす状態に近づきつつある旨をユーザに通知する制御を行う。例えば、図１４、図１５に示す表示画面６５０、６５５が表示される。
【０２０１】
また、制御部１７０は、複数の付随情報が取得された場合には、その取得された複数の付随情報に関する表示情報を表示部１６０に表示させる。例えば、図１７乃至図１９に示す表示画面６７０、６８０、６９０が表示される。そして、制御部１７０は、その表示されている複数の付随情報のうちからユーザ操作に基づいて選択された付随情報を画像コンテンツに関連付ける。
【０２０２】
このように、本技術の第２の実施の形態によれば、例えば、イベントにおいてコンテンツ（静止画、動画）の記録を行う場合には、そのイベントの期間だけ、そのイベントに対応する付随情報を適切に使用することができる。すなわち、適切な付随情報をコンテンツに関連付けることができる。
【０２０３】
なお、本技術の実施の形態では、１つの付随情報を設定して、この付随情報をコンテンツに関連付ける例を示したが、複数の付随情報を同時に設定して、これらの付随情報のそれぞれをコンテンツに関連付けるようにしてもよい。例えば、テーマパークに関する付随情報と、そのテーマパーク内における特定施設に関する付随情報とを同時に設定して、これらの付随情報のそれぞれをコンテンツに関連付けることができる。これにより、コンテンツの検索を行う場合には、テーマパークおよびそのテーマパーク内における特定施設の何れについても容易に使用することができる。
【０２０４】
また、本技術の実施の形態では、コンテンツとして画像コンテンツを例にして説明したが、音声に関するコンテンツ等の他のコンテンツについても本技術の実施の形態を適用することができる。例えば、録音により生成されるコンテンツについて適用することができる。また、本技術の実施の形態では、コンテンツを作成する場合を例にして説明したが、既存のコンテンツを編集する場合についても本技術の実施の形態を適用することができる。
【０２０５】
また、本技術の実施の形態では、画像ファイル内に付随情報を記録することにより、付随情報をコンテンツに関連付ける例を示した。すなわち、Ｅｘｉｆで管理する例を示した。ただし、例えば、コンテンツをメタデータ管理ファイルで管理する情報処理装置の場合には、付随情報をＥｘｉｆで管理するとともに、その付随情報をメタデータ管理ファイルで管理するようにしてもよい。このように、メタデータ管理ファイルにより付随情報を管理する場合には、Ｅｘｉｆ規格とは無関係に、取得された付随情報を用いてファイル名等を作成することができる。
【０２０６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２０７】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２０８】
なお、本技術は以下のような構成もとることができる。
（１）
付随情報を取得する取得部と、
前記付随情報が取得されてから所定条件を満たす状態となるまでの間、当該付随情報をコンテンツに関連付ける制御部と
を具備する情報処理装置。
（２）
前記付随情報は、使用制限を有し、
前記所定条件を満たす状態は、前記使用制限に係る限界値を超えた状態であり、
前記制御部は、前記所定条件を満たす状態となった場合には、前記付随情報をコンテンツに関連付けない
前記（１）に記載の情報処理装置。
（３）
前記制御部は、前記使用制限に関する情報を表示部に表示させる制御を行う前記（２）に記載の情報処理装置。
（４）
前記使用制限は、時間制限を含み、
前記制御部は、前記時間制限に係る残り時間を前記表示部に表示させる
前記（３）に記載の情報処理装置。
（５）
前記使用制限は、空間制限を含み、
前記制御部は、前記空間制限に係る地図上における範囲および前記地図上における前記情報処理装置の位置を前記表示部に表示させる
前記（３）に記載の情報処理装置。
（６）
前記使用制限は、空間制限を含み、
前記制御部は、前記情報処理装置の位置から前記空間制限に係る地図上における範囲の境界までの距離を前記表示部に表示させる
前記（３）に記載の情報処理装置。
（７）
前記使用制限は、空間制限を含み、
前記制御部は、前記情報処理装置の位置から前記空間制限に係る地図上における範囲の境界までの距離と、前記情報処理装置の移動速度とに基づいて得られた前記境界までの所要時間を前記表示部に表示させる
前記（３）に記載の情報処理装置。
（８）
前記使用制限は、回数制限を含み、
前記制御部は、前記回数制限に係る残りの値を前記表示部に表示させる
前記（３）に記載の情報処理装置。
（９）
前記コンテンツは、画像データであり、
前記画像データが静止画データの場合には、前記回数制限は、取得回数であり、
前記画像データが動画データの場合には、前記回数制限は、動画データの長さである
前記（８）に記載の情報処理装置。
（１０）
前記制御部は、前記使用制限に係る限界値を超えていなく、当該使用制限に係る通知閾値を越えた場合には、前記所定条件を満たす状態に近い旨を表示部に表示する制御を行う前記（２）から（９）のいずれかに記載の情報処理装置。
（１１）
前記制御部は、前記取得部により複数の前記付随情報が取得された場合には、当該取得された複数の付随情報に関する表示情報を表示部に表示させ、当該表示されている複数の付随情報のうちからユーザ操作に基づいて選択された付随情報を前記コンテンツに関連付ける前記（１）から（１０）のいずれかに記載の情報処理装置。
（１２）
前記コンテンツを生成するコンテンツ生成部をさらに具備し、
前記取得部は、前記コンテンツの生成場所に関する情報を含む前記付随情報を取得する
前記（１）から（１１）のいずれかに記載の情報処理装置。
（１３）
前記取得部は、前記コンテンツの生成場所に関する情報として、当該生成場所において行われるイベントに関する時間情報と当該イベントに関する位置情報と当該イベントに関する文字情報とのうちの少なくとも１つを含む前記付随情報を取得する前記（１２）に記載の情報処理装置。
（１４）
前記取得部は、撮像部により取得された多次元コード情報に基づいて前記付随情報を生成する前記（１）から（１３）のいずれかに記載の情報処理装置。
（１５）
前記取得部は、無線通信を利用して前記付随情報を取得する前記（１）から（１３）のいずれかに記載の情報処理装置。
（１６）
前記制御部は、前記付随情報が関連付けられたコンテンツを所定のネットワークを介して他の情報処理装置に送信する制御を行う前記（１）から（１５）のいずれかに記載の情報処理装置。
（１７）
付随情報を取得する取得手順と、
前記付随情報が取得されてから所定条件を満たす状態となるまでの間、当該付随情報をコンテンツに関連付ける制御手順と
を具備する情報処理方法。
（１８）
付随情報を取得する取得手順と、
前記付随情報が取得されてから所定条件を満たす状態となるまでの間、当該付随情報をコンテンツに関連付ける制御手順と
をコンピュータに実行させるプログラム。
【符号の説明】
【０２０９】
１０  ネットワーク
１００  情報処理装置
１１１  光学系
１１２  撮像素子
１１３  Ａ／Ｄ変換部
１２０  デジタル信号処理部
１３０  エンコード／デコード部
１４０  記録部
１５０  操作部
１５１  電源キー
１５２  再生キー
１５３  シャッターキー
１６０  表示部
１７０  制御部
１８１  位置情報取得部
１８２  時間情報取得部
１９０  ネットワークＩ／Ｆ
２００  全体統括制御部
２０１  撮像処理制御部
２０２  画像処理制御部
２０３  表示入力制御部
２０４  多次元コード解析制御部
２０５  付随情報生成解析制御部
２０６  ファイル生成解析制御部
２０７  付随情報管理部
２１０  撮像部
２２０  作業メモリ
【図１】
0005861564.tif 000002
【図２】
0005861564.tif 000003
【図３】
0005861564.tif 000004
【図４】
0005861564.tif 000005
【図５】
0005861564.tif 000006
【図６】
0005861564.tif 000007
【図７】
0005861564.tif 000008
【図８】
0005861564.tif 000009
【図９】
0005861564.tif 000010
【図１０】
0005861564.tif 000011
【図１１】
0005861564.tif 000012
【図１２】
0005861564.tif 000013
【図１３】
0005861564.tif 000014
【図１４】
0005861564.tif 000015
【図１５】
0005861564.tif 000016
【図１６】
0005861564.tif 000017
【図１７】
0005861564.tif 000018
【図１８】
0005861564.tif 000019
【図１９】
0005861564.tif 000020
【図２０】
0005861564.tif 000021
【図２１】
0005861564.tif 000022